(57)【要約】      （修正有）【課題】傘のように拡散する気流が形成され、吹かれた時の快適性が高められる吹出シェードとファンライトを提供する。【解決手段】ファンライトの吹出口に取り付けられる吹出シェードであって、直径が漸次増加するように同軸で設けられ、吸込側から吹出側まで内側面が外側に傾斜して設けられることで、第１導風路２が形成される複数の第１環状導風板１と、複数の第１環状導風板を固定して接続する接続部材６とを含む。上方から下方まで第１環状導風板の縦断面が外側に傾斜して設けられることで、気流が傾斜して外部に拡散するようにガイドされ、間隔を開けて分布する複数の第１導風路を形成し、吹出口から吹き出される気流を下向きに且つ外側に均一にガイドする。【選択図】図１
0003231283.tif 000002
【実用新案登録請求の範囲】
【請求項１】
ファンライトの吹出口に取り付けられる吹出シェードであって、
内側から外側まで直径が漸次増加するように同軸で設けられる複数の第１環状導風板であって、吸込側から吹出側まで前記第１環状導風板の内側面が外側に傾斜して設けられることで、気流が傾斜して外部に拡散するようにガイドするための第１導風路が形成される複数の第１環状導風板と、
複数の前記第１環状導風板を固定して接続するための接続部材とを含むことを特徴とする吹出シェード。
【請求項２】
前記第１環状導風板の内側面は前記第１環状導風板の軸線に対して傾斜角を有し、内側から外側まで設けられる複数の前記第１環状導風板に対応する前記傾斜角は漸次増加することを特徴とする請求項１に記載の吹出シェード。
【請求項３】
内側に位置する前記第１環状導風板の内側には同軸で第２環状導風板が設けられ、前記第２環状導風板は前記接続部材に固定して接続され、前記第２環状導風板の縦断面が鉛直に設けられることで、気流が下向きに垂直に拡散するようにガイドするための第２導風路が形成されることを特徴とする請求項１に記載の吹出シェード。
【請求項４】
前記第２環状導風板の内側にエンドキャップが設けられ、前記エンドキャップは前記接続部材に固定して接続されることを特徴とする請求項３に記載の吹出シェード。
【請求項５】
前記接続部材は接続リブであり、前記接続リブは複数の前記第１環状導風板の半径方向に延伸し、複数の前記第１環状導風板を接続するために用いられることを特徴とする請求項１に記載の吹出シェード。
【請求項６】
前記接続リブは、放射状に均一に分布するように複数設けられることを特徴とする請求項５に記載の吹出シェード。
【請求項７】
請求項１〜６のいずれか１項に記載の吹出シェードを含むことを特徴とするファンライト。
【請求項８】
ベースと、前記ベースの下部に取り付けられるブレードとを含み、前記ベースの下方には前記ベースに接続される集風筒が設けられ、前記ブレードは前記集風筒内に位置し、前記集風筒の外側に環状の取付け板が設けられ、環状の取付け板の下端面に光源アセンブリが設けられ、前記吹出シェードは前記集風筒の下端の吹出口に取り付けられることを特徴とする請求項７に記載のファンライト。
【考案の詳細な説明】
【技術分野】
【０００１】
本考案は、ファンライトの技術分野に関し、より詳しく言えば、吹出シェード及び当該吹出シェードを用いたファンライトに関する。
【背景技術】
【０００２】
ファンライトは、照明具と扇風機の機能を兼ね備える。ファンライトのブレードの前端に吹出シェードが取り付けられ、吹出シェードはブレードを保護しながら、ブレードの露出による安全上のリスクを減らすことができる。
【０００３】
従来技術では、ファンライトのブレードが回転して負圧を生じさせると、ブレードの後方の空気を推し進めて気流が形成され、気流が吹出シェードを通過した後、乱流がよく生じるため、顧客体験が優れていないという問題がある。
【考案の概要】
【０００４】
本考案は、気流が吹出シェードを通過した後、乱流がよく生じるため、顧客体験が優れていないという問題を解決するために、吹出シェードを提供することを目的とする。
【０００５】
上記の目的を達成するための本考案の技術的解決手段は以下のとおりである。
内側から外側まで直径が漸次増加するように同軸で設けられる複数の第１環状導風板であって、吸込側から吹出側まで前記第１環状導風板の内側面が外側に傾斜して設けられることで、気流が傾斜して外部に拡散するようにガイドするための第１導風路が形成される複数の第１環状導風板と、
複数の前記第１環状導風板を固定して接続するための接続部材とを含む吹出シェードを提供する。
【０００６】
本願の一実施例では、前記第１環状導風板の内側面は前記第１環状導風板の軸線に対して傾斜角を有し、内側から外側まで設けられる複数の前記第１環状導風板に対応する前記傾斜角は漸次増加する。
【０００７】
本願の一実施例では、内側に位置する前記第１環状導風板の内側には同軸で第２環状導風板が設けられ、前記第２環状導風板は前記接続部材に固定して接続され、前記第２環状導風板の縦断面が鉛直に設けられることで、気流が下向きに垂直に拡散するようにガイドするための第２導風路が形成される。
【０００８】
本願の一実施例では、前記第２環状導風板の内側にエンドキャップが設けられ、前記エンドキャップは前記接続部材に固定して接続される。
【０００９】
本願の一実施例では、前記接続部材は接続リブであり、前記接続リブは複数の前記第１環状導風板の半径方向に延伸し、複数の前記第１環状導風板を接続するために用いられる。
【００１０】
本願の一実施例では、前記接続リブは、放射状に均一に分布するように複数設けられる。
【００１１】
本考案の吹出シェードの有益な効果は次のとおりである。
従来技術と比べて、本考案の吹出シェードは、複数の第１環状導風板は直径が漸次増加するように同軸で設けられ、且つ接続部材によって固定されるというものである。吸込側から吹出側まで第１環状導風板の内側面が外側に傾斜して設けられることで、気流が傾斜して外部に拡散するようにガイドするための第１導風路が形成され、複数の第１環状導風板が間隔を開けて分布する複数の第１導風路を形成し、このようにして、吹出口から吹き出される気流を下向きに且つ外側に均一にガイドすることで、傘のように拡散する気流が形成され、吹かれた時の快適性が高められる効果があり、顧客体験が向上している。
【００１２】
本考案は、前記吹出シェードを含むファンライトをさらに提供する。
【００１３】
本願の一実施例では、ベースと、前記ベースの下部に取り付けられるブレードとを含み、前記ベースの下方には前記ベースに接続される集風筒が設けられ、前記ブレードは前記集風筒内に位置し、前記集風筒の外側に環状の取付け板が設けられ、環状の取付け板の下端面に光源アセンブリが設けられ、前記吹出シェードは前記集風筒の下端の吹出口に取り付けられる。
【００１４】
従来技術と比べて、本考案に係るファンライトは、前記吹出シェードを用いたため、吹出シェードと同じような有益な効果がある。ここでその方の説明は省略される。
【図面の簡単な説明】
【００１５】
次に、本考案の実施例に係る技術的解決手段を一層明瞭に説明するために、従来技術又は実施例の説明に用いる図面を簡単に説明する。なお、次の説明に係る図面は本考案のいくつかの実施例を示すものに過ぎず、当業者が新規性のある作業をすることなく、これらの図面から他の図面を得ることができる。
【図１】図１は本考案の実施例に係る吹出シェードの構造模式図である。
【図２】図２は本考案の実施例に係るファンライトの構造模式図である。
【図３】図３は本考案の実施例に係るファンライトの上面図である。
【図４】図４は図３のＡ−Ａ線における断面図である。
【図５】図５は本考案の実施例に係る吹出シェードの複数の第１環状導風板の傾斜角度の模式図である。
【考案を実施するための形態】
【００１６】
次に、本考案が解決しようとする課題、技術的解決手段及び有益な効果が一層明瞭になるよう、実施例及び図面を参照して、本考案の一層詳細な説明を行う。なお、ここで説明するいくつかの実施例は本考案の限定にならず、その説明のためのものに過ぎない。
【００１７】
図１及び図４を参照して、本考案の吹出シェードを説明する。吹出シェードはファンライトの吹出口に取り付けられ、複数の第１環状導風板１と、接続部材とを含む。
【００１８】
複数の第１環状導風板１は、内側から外側まで直径が漸次増加するように同軸で設けられ、吸込側から吹出側まで第１環状導風板１の内側面が外側に傾斜して設けられることで、気流が傾斜して外部に拡散するようにガイドするための第１導風路２が形成される。接続部材は複数の第１環状導風板１を固定して接続するために用いられる。
【００１９】
従来技術と比べて、本考案の吹出シェードは、複数の第１環状導風板１は直径が漸次増加するように同軸で設けられ、且つ接続部材によって固定される。吸込側から吹出側まで第１環状導風板１の内側面が外側に傾斜して設けられることで、気流が傾斜して外部に拡散するようにガイドするための第１導風路２が形成され、複数の第１環状導風板１が間隔を開けて分布する複数の第１導風路２を形成し、このようにして、吹出口から吹き出される気流を下向きに且つ外側に均一にガイドすることで、傘のように拡散する気流が形成され、吹かれた時の快適性が高められる効果があり、顧客体験が向上している。
【００２０】
本考案の吹出シェードの一実施形態では、図１及び図４が参照されるとおり、第１環状導風板１の内側面は第１環状導風板１の軸線に対して傾斜角を有し、内側から外側まで設けられる複数の第１環状導風板１に対応する傾斜角は漸次増加する。
【００２１】
本実施例では、複数の第１環状導風板１に対応する傾斜角が内側から外側まで漸次増加することで、ファンライトの吹出口から吹き出される気流が徐々に外側に拡散され、傘のように外側に拡散する気流が形成される。
【００２２】
好ましくは、図５が参照されるとおり、内側から外側まで複数の第１環状導風板１が設けられ、且つ第１環状導風板１の傾斜角は４°ずつ増加することで、気流が穏やかに且つ滑らかに吹き出されるという効果を得る。
【００２３】
本考案の吹出シェードの一実施形態では、図１及び図４が参照されるとおり、内側に位置する第１環状導風板１の内側には同軸で第２環状導風板３が設けられ、第２環状導風板３は接続部材に固定して接続され、第２環状導風板３の縦断面が鉛直に設けられることで、気流が下向きに垂直に拡散するようにガイドするための第２導風路４が形成される。
【００２４】
本実施例では、第２環状導風板３は複数の第１環状導風板１の最も内側に位置し、第２環状導風板３の縦断面が鉛直に設けられることで、第２導風路４が気流を下向きに且つ垂直にガイドし、このようにして、吹出口から吹き出される気流が、ファンライトの真下に運ばれることにより、ファンライトの下方の全体に気流が届けられる。しかも気流が効果的に分散されるため、利用時の快適性が向上する。
【００２５】
本考案の吹出シェードの一実施形態では、図１が参照されるとおり、第２環状導風板３の内側にエンドキャップ５が設けられ、エンドキャップ５は接続部材に固定して接続される。
【００２６】
本実施例では、エンドキャップ５はブレード８の下方に第２環状導風板３の中部を閉鎖するように設けられ、第２環状導風板３の中部の空間が閉鎖されるため、ファンライトの安全性及び美観性が向上する。
【００２７】
本考案の吹出シェードの一実施形態では、図１が参照されるとおり、接続部材は接続リブ６であり、接続リブ６は複数の第１環状導風板１の半径方向に延伸し、複数の第１環状導風板１を接続するために用いられる。
【００２８】
本実施例では、接続リブ６は、複数の第１環状導風板１を接続するように複数の第１環状導風板１と一体成形され、且つ、複数の第１環状導風板１の半径方向に延伸し、接続リブ６はそれぞれの第１環状導風板１に垂直に接続されるように設けられ、安定的な接続が確保される。
【００２９】
本考案の吹出シェードの一実施形態では、図１が参照されるとおり、接続リブ６は、放射状に均一に分布するように複数設けられる。
【００３０】
本実施例では、接続リブ６は放射状に均一に分布するように４つ設けられ、それぞれ複数の第１環状導風板１を接続することで、複数の第１環状導風板１の接続上の安定性を高めることができる。ここで、接続リブ６の数量は限定されず、例えば、２つ、３つ又は５つである。
【００３１】
図２及び図３が参照されるとおり、本考案は、前記吹出シェードを用いたファンライトをさらに提供する。
【００３２】
従来技術と比べて、本考案に係るファンライトは、前記吹出シェードを用いたため、吹出シェードと同じような有益な効果がある。ここでその方の説明は省略される。
【００３３】
本考案のファンライトの一実施形態では、図２及び図３が参照されるとおり、ベース７と、ベース７の下部に取り付けられるブレード８とを含み、ベース７の下方にはベース７に接続される集風筒９が設けられ、ブレード８は集風筒９内に位置し、集風筒９の外側に環状の取付け板１０が設けられ、環状の取付け板１０の下端面に光源アセンブリが設けられ、吹出シェードは集風筒９の下端の吹出口に取り付けられる。
【００３４】
本実施例では、ベース７にモーターが内蔵され、モーターの駆動軸はブレード８の回転を駆動するようにブレード８に接続される。集風筒９はベース７の下方に位置し、複数の接続ロッドによってベース７に接続され、ブレード８は集風筒９の内部に位置する。ブレード８がモーターに駆動されて回転することで、ブレード８の後方の空気を推し進めて気流が形成され、集風筒９が気流を集めることで、小さなブレード８でも大きな風量を得る。集風筒９の吹出口から吹き出される気流が、吹出シェードを通過すると拡散気流になることで、吹かれた時の快適性が高められる効果があり、顧客体験が向上する。
【００３５】
また、取付け板１０は環状の板であり、集風筒９の下端の外部に取り付けられ、取付け板１０の下端面の光源アセンブリは照明具として利用される。
【００３６】
上述した内容が本考案の限定にならず、その好ましい実施例に過ぎない。本考案の趣旨を超えることなくなされた変更や、同等な差し替え、改良等は、いずれも本考案の保護範囲に含まれる。
【符号の説明】
【００３７】
１...第１環状導風板、２...第１導風路、３...第２環状導風板、４...第２導風路、５...エンドキャップ、６...接続リブ、７...ベース、８...ブレード、９...集風筒、１０...取付け板。
【図１】
0003231283.tif 000003
【図２】
0003231283.tif 000004
【図３】
0003231283.tif 000005
【図４】
0003231283.tif 000006
【図５】
0003231283.tif 000007